(57)【要約】
【課題】　逆止弁の構造簡易化、取付け作業の単純化及び保存袋の低コスト化を実現。
【解決手段】　保存袋１のガスバリヤ性袋体３の一部を形成するシート小片４と、シート小片４に重ね合わせ周縁部相互を部分的に貼り合わせて周縁部の一部分がシート小片４に対し遊離する自由端９に形成されてなるゴムシート小薄片７とよりなる。シート小片４には中央部に小孔８が穿孔され、シート小片４とゴムシート小薄片７との間には小孔８から自由端（９）に亘り放射状に延在する二つ以上の扁平な通気路１１、１１が形成され、ゴムシート小薄片７が小孔８及び通気路１１、１１に対し、通常時は閉塞させ、排気時は開通させる逆止弁体として機能する。
【選択図】　　図１
0003099227.tif 000002
【実用新案登録請求の範囲】
【請求項１】
収容物品の品質保持用の保存袋（１）に一体的に設ける逆止め弁であって、前記保存袋（１）におけるガスバリヤ性の袋体（３）の一部を形成するシート小片（４）と、該シート小片（４）に重ね合わせ周縁部相互を部分的に貼り合わせて周縁部の一部分がシート小片（４）に対し遊離する自由端（９）に形成されてなるゴムシート小薄片（７）とよりなり、前記シート小片（４）には中央部に小孔（８）が穿孔されてなり、シート小片（４）とゴムシート小薄片（７）との間には前記小孔（８）から前記自由端（９）に亘り放射状に延在する少なくとも二つの扁平な通気路（１１）、（１１）が形成されてなり、前記ゴムシート小薄片（７）が小孔（８）及び通気路（１１）、（１１）に対し、通常時は閉塞させ、排気時は開通させる逆止弁体として機能するものであることを特徴とする逆止めゴムシート弁。
【請求項２】
クランプ具などの封止手段（６）により開閉可能に封止し得る物品収納用の開口（５）を端部に有する収容物品の品質保持用の保存袋（１）であって、前記開口（５）の近部の袋体（３）に逆止めゴムシート弁（２）が一体的に設けられてなり、この逆止めゴムシート弁（２）は、ガスバリヤ性の前記袋体（３）の一部であるシート小片（４）と、該シート小片（４）に重ね合わせ周縁部相互を部分的に貼り合わせて周縁部の一部分がシート小片（４）に対し遊離する自由端（９）に形成されてなるゴムシート小薄片（７）とよりなり、前記シート小片（４）には中央部に小孔（８）が穿孔されてなり、一方、シート小片（４）とゴムシート小薄片（７）との間には前記小孔（８）か由端（９）に亘り放射状に延在する少なくとも二つの扁平な通気路（１１）、（１１）が形成されてなり、前記ゴムシート小薄片（７）が小孔（８）及び通気路（１１）、（１１）に対し、通常時は閉塞させ、排気時は開通させる逆止弁体として機能するものであることを特徴とする逆止めゴムシート弁付保存袋。
　
【考案の詳細な説明】
【技術分野】
【０００１】
　本考案は、収容物品の品質保持用の保存袋に簡単、確実に装着できる逆止めゴムシート弁並びに収容物品の品質保持機能を長期間に亘って発揮できる簡易型の逆止めゴムシート弁付保存袋に関する。
【背景技術】
【０００２】
　物品を収容して内部空気を吸引脱気し或いは不活性ガスに強制置換して所要期間保存するのに用いる保存袋は、特許文献２などによって公知である。また、この種の保存袋に装着する逆止弁としては、例えば、特許文献１などによって開示されている。
【０００３】
　特許文献２に示される包装袋の概要構成は以下の通りである。合成樹脂フィルム製の扁平袋体と該袋体の接着縁の対向フィルム間に挿入されて袋体内外を連通する逆止弁通気管とからなり、逆止弁通気管は、二枚の長方形の合成樹脂フィルムを重ね合わせて形成した扁平筒状体で、その筒状体内に第１フィルム弁体及び第２フィルム弁体を前後に並設して備えているものである。
【０００４】
　一方、特許文献１に示される逆止弁は、２枚のフィルムを重ねて両側縁を接着した扁平な通気管の吹出前端側通気路内に、後端側が通気管の一方のフィルムの内面全幅に、両側が通気管の接着縁に接着され前端縁が自由端となっている第１フィルム弁体及び後端縁が通気管の他方のフィルムの内面全幅に、両側が通気管の接着縁に接着され前端縁が自由端となっている第２フィルム弁体をそれぞれの後端縁が通気流路方向に間隔を置いて位置するように設けた構造の逆止めフィルムバルブである。
【０００５】
　従来の逆止めフィルムバルブは、取付け対象である包装袋とは別個の独立した扁平筒状の単体部材であって、フィルムからなる簡易構造品とはいっても、２個のフィルム弁体を内蔵していてしかも各弁体を四周縁の内の三周縁について通気管の内壁に接着するといった複雑な構造であるから、製造コストを押し上げる点で汎用品として経済性の面で難点がある。
【０００６】
また、この逆止めフィルムバルブ（逆止弁通気管）を包装袋に取付ける場合には、その合成樹脂フィルム製扁平袋体の整袋のさいに重ね合わせ縁部間に介在させて接着手段により装着し、２個のフィルム弁体を内蔵する側を扁平袋体内に、他方の側を外方に突出した状態となして固着する必要があって、整袋作業が可なりの手間を要する点で不利を免れない。
【特許文献１】実開昭６２−８５７７０号公報（第１頁、第１−２図）
【特許文献２】実開平５−１８２７５号公報（第１頁、第１−２図）
【考案の開示】
【考案が解決しようとする課題】
【０００７】
　従来の逆止めフィルムバルブ及び包装袋が複雑な構造であるとともに、整袋に際し手間が掛かるためにコスト高となる経済性の不利がある点に鑑みて、本考案は逆止弁のより一層の構造簡易化を図らせるとともに、取付け作業の単純・容易化並びに保存袋の低コスト化を実現しようとするものである。
【課題を解決するための手段】
【０００８】
　上記課題を解決するべく、本考案は第１の手段として、収容物品の品質保持用の保存袋１に一体的に設ける逆止め弁であって、前記保存袋１におけるガスバリヤ性の袋体３の一部を形成するシート小片４と、該シート小片４に重ね合わせ周縁部相互を部分的に貼り合わせて周縁部の一部分がシート小片４に対し遊離する自由端９に形成されてなるゴムシート小薄片７とよりなり、前記シート小片４には中央部に小孔８が穿孔されてなり、シート小片４とゴムシート小薄片７との間には前記小孔８から前記自由端９に亘り放射状に延在する少なくとも二つの扁平な通気路１１、１１が形成されてなり、前記ゴムシート小薄片７が小孔８及び通気路１１、１１に対し、通常時は閉塞させ、排気時は開通させる逆止弁体として機能するものである逆止めゴムシート弁の構成を主要な特徴とする。
【０００９】
　また本考案は第２の手段として、クランプ具などの封止手段６により開閉可能に封止し得る物品収納用の開口５を端部に有する収容物品の品質保持用の保存袋１であって、前記開口５の近部の袋体３に逆止めゴムシート弁２が一体的に設けられてなり、この逆止めゴムシート弁２は、ガスバリヤ性の前記袋体３の一部であるシート小片４と、該シート小片４に重ね合わせ周縁部相互を部分的に貼り合わせて周縁部の一部分がシート小片４に対し遊離する自由端９に形成されてなるゴムシート小薄片７とよりなり、前記シート小片４には中央部に小孔８が穿孔されてなり、一方、シート小片４とゴムシート小薄片７との間には前記小孔８から前記自由端９に亘り放射状に延在する少なくとも二つの扁平な通気路１１、１１が形成されてなり、前記ゴムシート小薄片７が小孔８及び通気路１１、１１に対し、通常時は閉塞させ、排気時は開通させる逆止弁体として機能するものである逆止めゴムシート弁付保存袋の構成をまた主要な特徴とする。
【考案の効果】
【００１０】
　本考案の逆止めゴムシート弁は、保存袋におけるガスバリヤ性の袋体の一部を形成するシート小片とこれに重ね合わせ周縁部相互を部分的に貼り合わせるゴムシート小薄片とを部材として構成されるものであるから、例えば数ｃｍ角のゴムシート小薄片を袋体の適宜個所において小孔に覆わせ貼り合わせるだけで逆止弁が作製可能であり、１個の最少部品と単純な貼合作業とで簡単に逆止弁を作ることができて、取付け場所が随意であるのと低コストであるのとで汎用性に優れており利用価値が高い。しかも、ゴムシート小薄片が本来備える弾性、伸縮性の両性能に基づいて、平板という簡易な構造体にも拘らずガス逆流抑制作用を比較的長期間に亘って確実、安定に発揮させることができる。
【００１１】
　また本考案の逆止めゴムシート弁付保存袋は、任意の箇所に逆止めゴムシート弁を簡単に設けることができレイアウトが容易であり、しかも、例えば数ｃｍ角のゴムシート小薄片を単に袋体に貼り合わせるだけでよくて、出っ張りが全く無くてコンパクトに収まり、横並び、積み重ね等の際に何等障害を齎さず、袋詰め・保管作業が容易である。さらに、量産に適した構造でかつ低コストであり、また逆止めゴムシート弁の補修、取替えも頗る簡単であって汎用品として極めて優れている。
【考案を実施するための最良の形態】
【００１２】
　本考案の好適な実施形態を、各種の逆止めゴムシート弁付保存袋の中から代表的な一例として挙げられる荒茶（あらちゃ）保存用袋に基づいて添付図面を参照しつつ以下に説明する。
　図１は本考案の実施形態に係る保存袋の略示外観図、図２(イ)は図１における逆止めゴムシート弁の拡大平面図、図２（ロ）は同図(イ)におけるＡ−Ａ矢視線に沿う厚み方向を拡大示した断面図である。
【００１３】
　荒茶保存のためとしての保存袋１は、内面にアルミニウム膜のコーティング処理を施してなる製袋用薄紙を素材として、底部３aと周胴部３bと頂部に開かせた開口５とを備える縦置き用の袋体３に形成され、全体としてガスバリヤ性を持つ茶葉用収納袋であって、例えば幅５００mm、奥行３３０mm、高さ４５０mmの大きさで反復使用可能となっている。
【００１４】
　この保存袋１は、摘みたて直後の粗茶約２０kgを袋内に収納して開口５をクランプ具などの封止手段６により開閉可能に封止するとともに、後述するように内部の空気を二酸化炭素ＣＯ2に強制置換する状態に保持して、倉庫などの保管場所に一時的に保蔵させる。　なお、開口５を開閉可能に封止させる封止手段６としては、クランプ具による他に開口端部を数巻きに丸め込ませて粘着テープで係止する等通常行われる簡易な封止方法を採用することが可能である。
【００１５】
　上記保存袋１には、図１に示されるように開口５の近部の袋体３に逆止めゴムシート弁２が一体的に設けられている。この場合の逆止めゴムシート弁２配設個所としては、所定量の粗茶が収納されかつ開口５が封止されている状態下において、封止個所の直下で茶葉集積頂部よりも上方の図１に図示する個所が適当とされる。
【００１６】
　逆止めゴムシート弁２の構造について図２を併せ参照して説明すると、ガスバリヤ性の前記袋体３の一部である数cm角の例えば直方形を成すシート小片４と、該シート小片４に重ね合わせる等形のゴムシート小薄片７とを所要部材として備えて、薄手の例えば０．１〜０．５mm範囲内の適宜厚みのゴムシート小薄片７をシート小片４に対して、その周縁部の一部分がシート小片４に対し遊離する自由端９に形成されるように周縁部相互を部分的に貼り合わせてなり、柔軟性を備える２層板状シートの弁体に構成される。
【００１７】
　上述の逆止めゴムシート弁２には、シート小片４の中央部に小孔８が穿孔されており、また、シート小片４とゴムシート小薄片７との間に、小孔８から前記自由端９に亘り左右に放射状に延在する二つの扁平な通気路１１、１１が形成されている。この場合、小孔８としては、直径数mmの例えばφ７mmの円孔が好適な例で挙げられ、一方、通気路１１、１１としては、直方形のゴムシート小薄片７を基準にして長辺に平行でかつ対向する短辺間に亘らせてなる中央部に、小孔８を横切る直線状の径方向に横一列に延在する扁平通路が好適な例で挙げられる。
【００１８】
　図２(イ)において平行斜線を施した個所は、シート小片４とゴムシート小薄片７とを周縁部相互において部分的に貼り合わせることにより生じる貼り合わせ部１０であって、両片４，７を両面粘着薄膜１２によって貼り合わせ、又は接着剤で接着するなどの接着手段によって一体的に密着させた個所に形成している。
【００１９】
　このように周縁部を部分的に貼り合わせることにより、ゴムシート小薄片７の周縁部の一部分においてシート小片４と遊離した状態に形成される自由端９は、当然のことであるが通気路１１、１１の排気開口端部となる個所であるが、小孔８から自由端９に亘り放射状に延在する二つの扁平な通気路１１、１１が形成されることによって、ゴムシート小薄片７が本来備える弾性、伸縮性に基づく変形回復動作で、小孔８及び通気路１１、１１に対して通常時は閉塞させ、排気時は開通させるように作用して、その結果気体の流れを一方向に規制することができる逆止弁体として機能するようになるのである。
【００２０】
　ところで、気体流れに対するより効果的な逆止作用を発揮させる逆止弁体を提供する点に関して、保存袋１の内・外圧差条件に基づき、小孔８の径Ｄ、通気路１１の長さＬ及び幅（自由端９の開口幅）Ｃ、ゴムシート小薄片７の肉厚ｔの相互間には、ある相関条件が当然考慮されるが、例えばＣＯ2ガスについていえば、バリヤ性に関してはゴムシート小薄片７の肉厚ｔは、０．５mm＞０．２mm＞０．１mmの順で良好な結果が得られることが実験により確認された。一方、小孔８の径Ｄ、通気路１１の長さＬ及び幅Ｃの関係については、０．２mm厚のゴムシート小薄片７の場合で、Ｃ≒１．５Ｄ、Ｌ≦８Ｄの条件でガスの通りが良くなり、０．５mm厚のゴムシート小薄片７の場合で、Ｃ≒１．８Ｄ、Ｌ≦９Ｄの条件でガスの通りが良くなることが判った。
【００２１】
　以上説明してなる本考案の実施形態に係る保存袋を荒茶保存のために実際に用いた保管例の態様について次に説明する。
　内面にアルミニウム膜のコーティング処理が施されてなる製袋用薄紙を素材として幅５００mm、奥行３３０mm、高さ４５０mmの大きさで、ガスバリヤ性を持つ縦置き用の袋に形成した茶葉用保存袋を実験のための資料に用いた。この保存袋には図１図示のように袋頂部箇所（底部３aから４１０mm上方の個所）aに図２図示の逆止めゴムシート弁２が設けられている。このシート弁２としては、縦４３mm、横６０mmで厚さ０．５mmのゴムシート小薄片７を用い、シート小片４の中央部には径７mmの円小孔８を開け、該孔８から左右の自由端９に亘る幅１３mm、長さ（合計長）６０mmの通気路１１、１１を形成したものである。
【００２２】
　上記の構成になる空の茶葉用保存袋の袋内底部に、３５０gのドライアイス粒が収容されている通気性ドライアイス専用袋を入れた後、その上に２０kg（満量）の荒茶を収容し、次いで開口５を封止手段６としてのクランプ具により気密に封止させてこれを倉庫に保管し、この状態で逆止めゴムシート弁２による逆止弁効果の確認を延７日に亘って経時的にテストした。その結果は、下記の表１に示される通りである。
【００２３】
0003099227.tif 000003
【００２４】
　上記テストは、袋詰め当日の１，３，５，７各時間を経過した時点と、満１日乃至満７日経過した時点のそれぞれについて袋内頂部箇所a、袋内上部箇所（底部３aから３６０mm上方の個所）b、袋内中間部箇所（底部３aから２０５mm上方の個所）c、袋内底部箇所（底部３aから５０mm上方の個所）dの４箇所における雰囲気中のＯ2含有率及びＣＯ2含有率を測定したものである。
【００２５】
　袋詰め直後から時間の経過と共にドライアイス粒の昇華が進行するために、袋内圧の上昇並びに空気とＣＯ2の比重差の両影響により底部の方からＣＯ2ガスが増量して行くと同時に、それに見合った量の空気が逆止めゴムシート弁２から排出される。その現象は、逆止めゴムシート弁２の通気路１１、１１を空気が僅かに流通する際に生じる小さな通過音によっても十分に確認された。その後は日々の経過にもかかわらず、ＣＯ2含有率が４測定個所（a,b,c,d）において９４％台で安定しており、従って、逆止めゴムシート弁２が有効に逆止弁効果を果たしており、これによって粗茶の鮮度、品質が期待通りに保持されてなることが保証されるに至ったのである。
【００２６】
図３には本考案の今一つの実施形態に係る逆止めゴムシート弁の拡大平面図が示される。同図において図２図示の逆止めゴムシート弁に類似し対応する部材については同一の参照符号を付している。
図３図示の逆止めゴムシート弁２には、シート小片４の中央部に小孔８が穿孔され、シート小片４とゴムシート小薄片７との間に、小孔８から上下・左右４箇所の各自由端９に亘り四方に放射状に延在する四つの扁平な通気路１１〜１１が形成されている。この場合、各自由端９はゴムシート小薄片７における対応各辺の中央部に位置させて、その幅、即ち、通気路幅Ｃを小孔８径Ｄ及び通気路長さＬに対して、Ｄ＜Ｃ≦（Ｌ／３）の条件に適合するように設定するのが好ましいことである。
【００２７】
図３において平行横線を施した個所は、シート小片４とゴムシート小薄片７とを周縁部相互において部分的に貼り合わせることにより生じる貼り合わせ部１０であって、両片４，７を例えば両面粘着薄膜１２によって貼り合わせることによって一体的に密着させた個所に形成している。この逆止めゴムシート弁２は、四方に放射状に延在する四つの扁平な通気路１１〜１１が形成されているところから、袋内部の気体の排出が小さい抵抗の下でスムーズに行われる特徴がある。
【００２８】
　以上、二つの実施形態に関して詳述したが、本考案に係る逆止めゴムシート弁２は両形態の構成に限定されなく、シート小片４及びゴムシート小薄片７としては、四方形の他に円形、長円形や、五角形など多方形の形状であっても良く、また、小孔８については円形の他に角孔でも勿論差し支えない。さらに、扁平な通気路１１、１１に関しても、小孔８から自由端９に亘り放射状に延在する二つ以上の複数の通気路１１、１１であればよい。
【産業上の利用可能性】
【００２９】
　本考案に係る逆止めゴムシート弁及び逆止めゴムシート弁付保存袋は、上述の荒茶保存用の他に、果実・穀類保存用、装置部品防錆保管用など空気とは別異の雰囲気の保持が必要な各種用途の袋にも適用できる。
【図面の簡単な説明】
【００３０】
【図１】本考案の実施形態に係る保存袋の略示外観図である。
【図２】(イ)は図１における逆止めゴムシート弁の拡大平面図、（ロ）は同図(イ)におけるＡ−Ａ矢視線に沿う厚み方向を拡大示した断面図である。
【図３】本考案の今一つの実施形態に係る逆止めゴムシート弁の拡大平面図である。
【符号の説明】
【００３１】
１…保存袋　　　　　　　　２…逆止めゴムシート弁　　３…袋体
３a…底部　　　　　　　　 ３b…周胴部         　　　４…シート小片
５…開口　　　　　　　　　６…封止手段　　　　　　　７…ゴムシート小薄片
８…小孔　　　　　　　　　９…自由端　　　　　　　１０…張り合わせ部
１１…通気路　　　　　　　１２…両面粘着薄膜　
　
【図１】
0003099227.tif 000004
【図２】
0003099227.tif 000005
【図３】
0003099227.tif 000006